(57)【特許請求の範囲】
【請求項１】
機体後部のヒッチに抵抗棒を装備させた管理機において、ヒッチピンを介し水平回動可能な回動板に抵抗棒を設けてヒッチに連結させ、抵抗棒はヒッチピンを中心として回動し、抵抗棒の回動を規制するロック部材をヒッチと回動板間に挿入し、ロック部材による抵抗棒の回動の規制を行う操作レバーを操向ハンドルに設け、抵抗棒の回動の規制は回動板の前面に対向するようにロック部材を設け、回動規制解除は回動板の一定範囲での回動を可能とするように、回動板の一定範囲での回動を干渉しない位置にロック部材を後退させたことを特徴とする管理機。
【発明の詳細な説明】
【０００１】
【発明の属する技術分野】
本発明は車軸に耕耘ロータリなど各種作業装置を取付けて、走行と同時に各種作業を同時に行うようにした車軸作業型の管理機に関する。
【０００２】
【発明が解決しようとする課題】
従来、車軸作業型の管理機においては機体のダッシュを防止し直進走行性能を確保するため一般に抵抗棒を機体後部に装備させているが、機体の旋回動作にはこの抵抗棒が抵抗となって抵抗棒を作業位置に保った状態のままで旋回するには極めて大きな旋回操作力を必要とするなどして旋回を困難なものとさせていた。このため旋回の都度機体とともに抵抗棒を持上げたり、エンジンをアイドリング回転させるなどして旋回の容易化を図っているが極めて作業能率が悪かった。
【０００３】
【課題を解決するための手段】
本発明は、機体後部のヒッチに抵抗棒を装備させた管理機において、ヒッチピンを介し水平回動可能な回動板に抵抗棒を設けてヒッチに連結させ、抵抗棒はヒッチピンを中心として回動し、抵抗棒の回動を規制するロック部材をヒッチと回動板間に挿入し、ロック部材による抵抗棒の回動の規制を行う操作レバーを操向ハンドルに設け、抵抗棒の回動の規制は回動板の前面に対向するようにロック部材を設け、回動規制解除は回動板の一定範囲での回動を可能とするように、回動板の一定範囲での回動を干渉しない位置にロック部材を後退させた管理機を提供するものである。
これにより、通常の直進作業中にあってはロック部材による抵抗棒の回動規制で確実な各種作業を容易に行うと共に、機体の旋回動作時には常に旋回方向に沿う状態に抵抗棒を回動させて、抵抗棒の抵抗の影響を最小に抑えた機体のスムーズな旋回を容易に可能とさせて旋回性を向上させるものである。
また、ロック部材による抵抗棒の回動の規制を行う操作レバーを操向ハンドルに設けて、機体の直進或いは旋回動作時にはロック部材のロック或いはロック解除を手元操作で簡単に行って、スムーズな直進や旋回作業を容易に可能とさせて作業性を向上させるものである。
【０００４】
【発明の実施の形態】
以下、本発明の実施例を図面に基づいて詳述する。図１に示す如く、エンジン１を搭載するエンジン台２後端にミッションケース３を固定させ、ミッションケース３上端にハンドルベース４を介して前後振替自在に操向ハンドル５を連結させると共に、ミッションケース３下端側の車軸である出力軸６にロータリ刃７を取付けて耕耘ロータリ８を構成している。
【０００５】
また図２乃至図７に示す如く、前記ミッションケース３後側でロータリカバー９上方位置にヒッチブラケット１０を介しヒッチ１１を取外し自在に固定させ、下端側を後方に屈曲させた断面長方形状の抵抗棒１２をヒッチピン１３及びホルダー１４を介しヒッチブラケット１０に回動自在に支持させるもので、側面視コ形状の回動板１５と、回動板１５の上下板１５ａ・１５ｂ間を貫通させる平面視門形で縦長状の保持板１６と、保持板１６の前面で且つ上下板１５ａ・１５ｂの上下面にそれぞれ固設する上下枢着板１７・１８とをホルダー１４は備え、保持板１６と枢着板１７・１８の内側に形成させる長方形状の係合孔１９に抵抗棒１２の上端を挿入させて、保持板１６の外側２面に略９０度角度を異ならせて取付ける２本のセットボルト２０によって抵抗棒１２を上下位置調節自在に取付固定するように構成している。
【０００６】
そして、前記ヒッチ１１略中央を上下方向に貫通させるヒッチピン１３に対し上下枢着板１７・１８の略中央部を嵌合連結させ、回動板前面１５ｃのヒッチピン１３との干渉部分を切欠部２１に形成すると共に、ヒッチ１１の垂直内側面１１ａと回動板１５の垂直前面１５ｃ間に、回動板１５の回動を規制する長方立方形のロック部材２２を介設している。
【０００７】
また、前記ロック部材２２はヒッチ１１の前面側に配置させる操作アーム１３にボルト２４を介し連結させるもので、ロック部材２２とヒッチ１１の中央部にボルト２４を貫通させ、ロック部材２２中央部と操作アーム２３基端とをボルト２４を介し一体連結させ、操作アーム２３先端に連結させるワイヤ２５の他端を操向ハンドル５の操作部に設ける操作レバーであるロックレバー２６に連結させている。
【０００８】
そして、図４、図７に示す如く、前記ロック部材２２を回動板１５の上下板１５ａ・１５ｂ間で縦長に配置させるとき、ロック部材２２の左右巾を切欠部２１の左右巾内に位置させる状態とさせて、図７仮想線に示す如くヒッチピン１３を中心として回動板１５を回動させるとき、ロック部材２２と干渉させることなく自由な回動を可能とさせる一方、図５、図６に示す如く、ワイヤ２５の引張り操作で回動板１５をボルト２４を中心として縦長より横長に略９０度回動させるとき、回動板１５の前面１５ｃ近傍にロック部材２２の左右両端後面を臨ませて、回動板１５の回動を規制するように構成している。
【０００９】
本実施例は上記の如く構成するものにして、耕耘作業中にあってはロック部材２２を横長のロック位置状態とさせて、抵抗棒１２の回動を規制し、抵抗棒１２で機体がダッシュするなどの不都合を解消させ、機体の直進性を向上させる一方、機体の旋回作業時にあってはロック部材２２を縦長のロック解除位置とさせ、抵抗棒１２を自由回動状態とさせて抵抗となるのを最小に抑制して機体のスムーズな旋回を可能とさせるものである。
【００１０】
【発明の効果】
以上実施例から明らかなように本発明は、機体後部のヒッチ１１に抵抗棒１２を装備させた管理機において、ヒッチピン１３を介し水平回動可能な回動板１５に抵抗棒１２を設けてヒッチ１１に連結させ、抵抗棒はヒッチピンを中心として回動し、抵抗棒１２の回動を規制するロック部材２２をヒッチ１１と回動板１５間に挿入し、ロック部材２２による抵抗棒１２の回動の規制を行う操作レバー２６を操向ハンドル５に設け、抵抗棒１２の回動の規制は回動板１５の前面に対向するようにロック部材２２を設け、回動規制解除は回動板１５の一定範囲での回動を可能とするように、回動板１５の一定範囲での回動を干渉しない位置にロック部材２２を後退させたものである。
これにより、通常の直進作業中にあってはロック部材２２による抵抗棒１２の回動規制で確実な各種作業を容易に行うと共に、機体の旋回動作時には常に旋回方向に沿う状態に抵抗棒１２を回動させて、抵抗棒１２の抵抗の影響を最小に抑えた機体のスムーズな旋回を容易に可能とさせて旋回性を向上させることができるものである。
【００１１】
また、機体の直進或いは旋回動作時にはロック部材２２のロック或いはロック解除を手元操作で簡単に行って、スムーズな直進や旋回作業を容易に可能とさせて作業性を向上させることができるものである。
【図面の簡単な説明】
【図１】管理機の全体側面図。
【図２】抵抗棒取付部の側面説明図。
【図３】抵抗棒取付部の平面説明図。
【図４】ヒッチ部の側面説明図。
【図５】ヒッチ部の背面説明図。
【図６】ヒッチ部の平面説明図。
【図７】抵抗棒の回動説明図。
【符号の説明】
１１  ヒッチ
１２  抵抗棒
１３  ヒッチピン
２２  ロック部材
２６  ロックレバー（操作レバー）
【図１】
0003655579.tif 000002
【図２】
0003655579.tif 000003
【図３】
0003655579.tif 000004
【図４】
0003655579.tif 000005
【図５】
0003655579.tif 000006
【図６】
0003655579.tif 000007
【図７】
0003655579.tif 000008